(57)【要約】【課題】切替部材側に当接部を有する節度手段の機能を維持しつつ見栄えの良好なカートリッジを得る。【解決手段】記録テープカートリッジでは、磁気テープを収容したケース１２の操作孔６２から誤消去防止プラグ７４の操作突起７８が外部に露出しており、該操作突起７８を操作してケース１２内に配置された誤消去防止プラグ７４を操作孔６２の形成面に沿って左右方向に移動すると、磁気テープへの情報の記録可否が切り替えられる。この切り替えに伴って誤消去防止プラグ７４が移動すると、誤消去防止プラグ７４のノッチ部８２がケース１２の節度ピン７２を弾性変形させて節度感が付与される。ノッチ部８２は、誤消去防止プラグ７４における操作孔６２から露出されない部分からケース１２の内側へ向けて突設されている。【選択図】　　　図１０
2004095069.tif 000002
【特許請求の範囲】
【請求項１】
内部に記録媒体を収容したケースと、
前記ケースを貫通して設けられた操作孔と、
前記操作孔から外部に露出した操作部を有し、該操作部の操作によって前記ケース内を前記操作孔形成面に沿って移動して、前記記録媒体への情報の記録不能状態と記録可能状態とを択一的に切り替える切替部材と、
前記ケース内に立設された節度部と、前記切替部材に突設され前記節度部と当接して配置される当接部とを有し、前記切替部材の移動に伴って前記当接部が前記節度部を弾性変形させて節度感を付与する節度手段と、
を備え、前記当接部を、前記切替部材における前記何れの切替状態においても該当接部の裏面が前記操作孔から露出されない部分に設けた、
ことを特徴とするカートリッジ。
【請求項２】
内部に記録媒体を収容したケースと、
前記ケースを貫通して設けられた操作孔と、
前記操作孔から外部に露出した操作部を有し、該操作部の操作によって前記ケース内を前記操作孔形成面に沿って移動して、前記記録媒体への情報の記録不能状態と記録可能状態とを択一的に切り替える切替部材と、
前記ケース内に立設された節度部と、前記切替部材に突設され前記節度部と当接して配置される当接部とを有し、前記切替部材の移動に伴って前記当接部が前記節度部を弾性変形させて節度感を付与する節度手段と、
を備え、前記当接部を、前記操作部に対し前記切替部材の移動行程よりも該移動方向に大きく離間して配置した、
ことを特徴とするカートリッジ。
【請求項３】
前記切替部材における前記当接部の裏面側を肉抜き部とした、ことを特徴とする請求項１または請求項２記載のカートリッジ。
【発明の詳細な説明】
【０００１】
【発明の属する技術分野】
本発明は、ケース内に記録媒体を収容し、該記録媒体への記録可能状態、記録不能状態を切り替えるライトプロテクト機能を備えたカートリッジに関する。
【０００２】
【従来の技術】
コンピュータ等の外部記録媒体として、記録媒体をケース内に収容したカートリッジが用いられている。具体的には、カートリッジは、上ケースと下ケースとが互いに周壁を突き当てて中空に形成されたケース内に、リールに巻装された記録テープや円板状のディスクメディア等の記録媒体を回転可能に収容して構成されている。
【０００３】
このようなカートリッジでは、記録媒体に記録されたデータの誤消去を防止するためのライトプロテクト部が設けられている。ライトプロテクト部としては、例えば、ケースのドライブ装置への装填側と反対側の後壁を貫通する操作孔と、下ケースの底板を貫通して設けられた透孔と、操作孔から露出した操作部がケースの外側から操作されることによって底板に沿って移動し透孔（透孔が長孔である場合は該長孔の一端部）を開閉する切替部材とを備えた構成が知られている。
【０００４】
すなわち、ライトプロテクト部では、例えば切替部材が透孔を閉塞した状態でドライブ装置による記録媒体（磁気テープ等）への記録不能状態となり、切替部材が透孔を開放した状態でドライブ装置による記録媒体への記録可能状態となることで、この記録不能状態と記録可能状態と（記録可否）を択一的に切り替えるようになっている。
【０００５】
また、ライトプロテクト部は、節度手段を備えている。節度手段は、ケース及び切替部材の何れか一方に設けられた当接部と、他方に設けられ弾性変形可能な節度部とで構成されている。節度部は、切替部材が透孔を閉塞した状態で当接部の一方の面に当接し、切替部材が透孔を開放した状態で当接部の他方の面に当接して切替部材の不用意な移動を阻止すると共に、操作部が操作されたときには当接部との当接状態を維持しつつ弾性変形して操作者に節度感（ノッチ感）を感得させるようになっている。
【０００６】
そして、このような節度手段として、切替部材に平面視山形に形成された当接部を設けると共に、上ケースの天板から節度部としての節度ピンを立設させた構成が知られている。この節度手段について図１３に基づいて説明する。
【０００７】
図１３に示す切替部材１００は、ケース１０２の側壁１０４に設けられた操作孔１０６に入り込んで外部に露出された操作部１０８と、該操作部１０８とは反対側の面から突接された当接部１１０とを備えている。一方、ケース１０２の天板からは節度ピン１１２が下方へ向けて立設されており、節度ピン１１２の先端は自由状態とされている。また、この切替部材１００は、操作部１０８及び当接部１１０等を含み樹脂材にて一体成形されている。
【０００８】
そして、当接部１１０と節度ピン１１２とが節度手段を構成しており、該節度手段は、当接部１１０を節度ピン１１２に当接させて配置することで切替部材の不要な移動（記録可否の切替）を規制し、切替部材１００がケース１０２の側壁１０４及び底板１１４に沿って移動するときには、当接部１１０が節度ピン１１２を弾性変形させつつこれを乗り越えることに伴う節度感を付与するようになっている。
【０００９】
この構成では、底板１１４に沿って移動する切替部材１００の移動軌跡に干渉することのない天板から節度ピン１１２が立設されているため、底板１１４側に節度部を設ける構成と比較してライトプロテクト部全体としての小型化が図られる。
【００１０】
【発明が解決しようとする課題】
ところで、切替部材に設けられる当接部は、その移動ストロークに亘り節度ピンとの当接状態を維持し、かつ節度ピンよりも高剛性である必要があるため、圧肉部として形成される。このため、切替部材おける当接部の裏面側には樹脂生計に伴うひけ（シンクマーク）等の外観不良が生じる。
【００１１】
しかしながら、上記のような従来のカートリッジでは、上記記録可否の少なくとも何れか一方の切替状態において、当接部が切替部材における操作孔から露出される部分からケース内側に向けて突設されていたため、該少なくと一方の切替状態で上記外観不良の部分が操作孔から露出してしまうという問題があった。このため、カートリッジ全体として見栄えが悪化する。
【００１２】
本発明は、上記事実を考慮して、切替部材側に当接部を有する節度手段の機能を維持しつつ見栄えの良好なカートリッジを得ることが目的である。
【００１３】
【課題を解決するための手段】
上記目的を達成するために請求項１記載の発明に係るカートリッジは、内部に記録媒体を収容したケースと、前記ケースを貫通して設けられた操作孔と、前記操作孔から外部に露出した操作部を有し、該操作部の操作によって前記ケース内を前記操作孔形成面に沿って移動して、前記記録媒体への情報の記録不能状態と記録可能状態とを択一的に切替える切替部材と、前記ケース内に立設された節度部と、前記切替部材に突設され前記節度部と当接して配置される当接部とを有し、前記切替部材の移動に伴って前記当接部が前記節度部を弾性変形させて節度感を付与する節度手段と、を備え、前記当接部を、前記切替部材における前記何れの切替状態においても該当接部の裏面が前記操作孔から露出されない部分に設けた、ことを特徴としている。
【００１４】
請求項１記載のカートリッジでは、ケースの操作孔から露出している切替部材の操作部を操作して切替部材をケース内で操作孔形成面に沿って移動させると、ケース内に収容した記録媒体への記録可能状態と記録不能状態と（記録可否）が択一的に切り替えられる。このとき、節度手段では、切替部材の当接部がケースの節度部に当接しつつ該節度部を弾性変形させ、操作部（切替部材）の操作者に節度感を付与する。
【００１５】
ここで、切替部材では、その当接部が、該切替部材における上記記録可否何れの切替状態においてもその裏面側が操作孔から露出されない部分からケース内側へ向けて突設されているため、切替部材における当接部の裏面側が操作孔から外部に露出されることがない。このため、本カートリッジでは、仮に樹脂成形等によって当接部の裏面側にひけ等の外観不良が生じても、この外観不良部分が操作孔から外部に露出されることがなく、見栄えが良好である。
【００１６】
なお、操作孔から露出されない部分は、ケースの操作孔形成面に沿うように延設されることが望ましく、この延設部は、切替部材の移動方向に延設されても良く、該移動方向に直交する方向に延設されても良い。
【００１７】
このように、請求項１記載のカートリッジでは、切替部材側に当接部を有する節度手段の機能を維持しつつ見栄えが良好である。
【００１８】
また、上記目的を達成するために請求項２記載の発明に係るカートリッジは、内部に記録媒体を収容したケースと、前記ケースを貫通して設けられた操作孔と、前記操作孔から外部に露出した操作部を有し、該操作部の操作によって前記ケース内を前記操作孔形成面に沿って移動して、前記記録媒体への情報の記録不能状態と記録可能状態とを択一的に切替える切替部材と、前記ケース内に立設された節度部と、前記切替部材に突設され前記節度部と当接して配置される当接部とを有し、前記切替部材の移動に伴って前記当接部が前記節度部を弾性変形させて節度感を付与する節度手段と、を備え、前記当接部を、前記操作部に対し前記切替部材の移動行程よりも該移動方向に大きく離間して配置した、ことを特徴としている。
【００１９】
請求項２記載のカートリッジでは、ケースの操作孔から露出している切替部材の操作部を操作して切替部材をケース内で操作孔形成面に沿って移動させると、ケース内に収容した記録媒体への記録可能状態と記録不能状態と（記録可否）が択一的に切り替えられる。このとき、節度手段では、切替部材の当接部がケースの節度部に当接しつつ該節度部を弾性変形させ、操作部（切替部材）の操作者に節度感を付与する。
【００２０】
ここで、切替部材では、その移動方向において、当接部が、操作部に対しその移動行程（ストローク）よりも大きく離間して配置されているため、換言すれば、それぞれ切替部材に設けられた当接部と操作部とは、上記移動方向に沿った互いに近い方の端部間の間隔が切替部材の移動行程よりも大きく設定されているため、切替部材（操作部）が上記切替可否の何れの移動限に位置しても当接部の裏面側が操作孔から外部に露出されることがない。このため、本カートリッジでは、仮に樹脂成形等によって当接部の裏面側にひけ等の外観不良が生じても、この外観不良部分が操作孔から外部に露出されることがなく、見栄えが良好である。
【００２１】
このように、請求項２記載のカートリッジでは、切替部材側に当接部を有する節度手段の機能を維持しつつ見栄えが良好である。
【００２２】
請求項３記載の発明に係るカートリッジは、請求項１または請求項２記載のカートリッジにおいて、前記切替部材における前記当接部の裏面側を肉抜き部とした、ことを特徴としている。
【００２３】
請求項３記載のカートリッジでは、切替部材における当接部の裏面側を肉抜き部としたため、切替部材には、厚肉部が形成されず、成形時に伴うひけ等の外観不良の発生が防止される。そして、このような肉抜き部が操作孔から露出されることがないので、カートリッジの見栄えも良好である。
【００２４】
【発明の実施の形態】
本発明の一実施の形態に係る記録テープカートリッジ１０について、図１乃至図１３に基づいて説明する。まず、記録テープカートリッジ１０の概略の全体構成、開口及びドアの構成を説明し、次いで、本発明の要部であるライトプロテクト部６０について説明する。なお、説明の便宜上、矢印Ａで示す記録テープカートリッジ１０のドライブ装置への装填方向を記録テープカートリッジ１０の前方向（前側）とし、矢印Ａと直交する矢印Ｂ、矢印Ｃ方向をそれぞれ右方向、左方向とする。
（記録テープカートリッジの全体構成）
図１には記録テープカートリッジ１０の全体構成が斜視図にて示されており、図２には記録テープカートリッジ１０の概略の分解斜視図が示されている。
【００２５】
これらの図に示される如く、記録テープカートリッジ１０は、平面視で略矩形状のケース１２内に、情報記録再生媒体である記録テープとしての磁気テープＴを巻装した単一のリール１４を回転可能に収容して構成されている。
【００２６】
ケース１２は、ドライブ装置への装填方向先頭側の１つの角部である右前角部がそれぞれ切り欠かれた一対の上ケース１６と下ケース１８とを互いの周壁１６Ａ、１８Ａを突き合せて接合することで構成されており、内部に磁気テープＴを巻装したリール１４の収容空間が設けられている。そして、上ケース１６及び下ケース１８の周壁１６Ａ、１８Ａが切り取られた角部が磁気テープＴの引き出し用の開口２０とされている。開口２０及び該開口２０を開閉するドア５０の詳細構成については後述する。
【００２７】
この開口２０から引き出される磁気テープＴの自由端には、ドライブ装置の引出手段によって係止（係合）されつつ引き出し操作されるリーダピン２２が接続されている。リーダピン２２の磁気テープＴの幅方向端部より突出した両端部には、環状溝２２Ａが形成されており、この環状溝２２Ａが引出手段のフック等に係止される。これにより、磁気テープＴを引き出す際に、フック等が磁気テープＴに接触して傷付けない構成である。
【００２８】
また、ケース１２の開口２０の内側には、ケース１２内においてリーダピン２２を位置決め、保持する上下一対のピン台２４が設けられている。ピン台２４は、矢印Ｂ方向に開口する半円筒形状をしており、その凹部２４Ａに直立した状態のリーダピン２２の両端部が保持されるようになっている。このピン台２４は、後述するリブ４４と連設されている。
【００２９】
また、ピン台２４の近傍には板ばね２５が固定配置されており、この板ばね２５がリーダピン２２の上下端部に係合してリーダピン２２をピン台２４に保持するようになっている。リーダピン２２がピン台２４に出入りする際には、板ばね２５はアーム部２５Ａを適宜弾性変形させてリーダピン２２の移動を許容する構成である。
【００３０】
さらに、下ケース１８の中央部には、リール１４の図示しないリールギヤを外部に露出するためのギヤ開口２６が設けられており、リール１４はリールギヤがドライブ装置の駆動ギヤに噛合わされてケース１２内で回転駆動されるようになっている。また、リール１４は、上ケース１６及び下ケース１８の内面にそれぞれ部分的に突設されてギヤ開口２６と同軸的な円形の軌跡上にある内壁としての遊動規制壁２８によってガタ付かないように保持されている。
【００３１】
この遊動規制壁２８の開口２０近傍の端部には、内部に位置規制用孔が形成された袋部２８Ａが連設されている。また、ケース１２の左前角部と遊動規制壁との間に挟まれた空間には、長孔である位置規制用孔が形成された袋部２８Ｂが立設されている。袋部２８Ａ、２８Ｂは、矢印Ｂ方向に沿った一直線上に配置されている。そして、袋部２８Ａが連設された端部を除いて、各遊動規制壁２８は、それぞれ端部がケース１２の周壁１６Ａまたは周壁１８Ａと連設されることで、その外側とリール１４の設置空間とを仕切っている。
【００３２】
また、下ケース１８の右後部には、各記録テープカートリッジ１０毎に、その各種情報を記憶されたメモリボードＭが設置されるようになっており、下面側から読み取るドライブ装置と、背面側から読み取るライブラリ装置での検知が可能となるように、周壁１８Ａを構成する傾斜後壁１８Ｃの一部が所定角度だけ傾斜され、メモリボードＭが所定角度傾斜配置されるようになっている。
（開口及び開口近傍のケースの構成）
上ケース１６の底面図である図３及び下ケース１８の平面図である図４にも示される如く、開口２０の前後の縁部には、それぞれ上下一対のビスボス３２、３６が設けられている。ビスボス３２、３６は、図示しない他のビスボスと共に上ケース１６と下ケース１８とを接合するためのビス止め用とされている。
【００３３】
開口２０の前縁部に位置するビスボス３２は、ケース１２の前壁１２Ａ（周壁１６Ａ、１８Ａのうち、外面が矢印Ａ方向を向く部分）の右端部、及び該前壁１２Ａの右端部から開口２０の開放面に沿って短く屈曲された上下一対の防塵壁３０とそれぞれ連設されている。ビスボス３２と防塵壁３０との間には後述するドア５０の先端部が入り込む凹部３０Ａが形成されている。
【００３４】
一方、開口２０の後縁部に位置するビスボス３６は、ケース１２の右壁１２Ｂ（周壁１６Ａ、１８Ａのうち、矢印Ａ方向に沿った右側の壁）の前端部が開口２０の開放面に略沿って屈曲された屈曲壁３８、及び該右壁１２Ｂの内側に設けられた上下一対の円弧壁３４の前端部とそれぞれ連設されている。上下の円弧壁３４は、それぞれ平面視で後述するドア５０の外周面（の移動軌跡）に略対応した円弧状に形成されており、それぞれビスボス３６から所定長さだけ後方へ伸び、該後部において短い連結壁３４Ａを介して右壁１２Ｂ（周壁１６Ａまたは周壁１８Ａ）に連設されている。
【００３５】
また、ケース１２の右壁１２Ｂには、ケース１２の内外を連通する窓部としての所定長さのスリット４０が設けらており、後述するドア５０の操作突起５２の露出用とされている。スリット４０は、右壁１２Ｂを構成する周壁１６Ａの下部を切り欠いて形成され、上ケース１６の屈曲壁３８の下部をも切り欠くことで前方へも開口されている。
【００３６】
このケース１２を構成する上ケース１６及び下ケース１８には、それぞれドア５０をガイドするためのガイド溝４２が設けられている。各ガイド溝４２は、その溝壁が、それぞれ上ケース１６の天板１６Ｂ、下ケース１８の底板１８Ｂから立設されたリブ４４、右壁１２Ｂ（周壁１６Ａまたは周壁１８Ａ）、遊動規制壁２８によって構成されることで、それぞれ天板１６Ｂまたは底板１８Ｂを薄肉化することなく形成されている。リブ４４はピン台２４に連設されている。
【００３７】
各ガイド溝４２は、凹部３０Ａを基端としケース１２の右後角部まで至る所定の円周に沿った円弧状に形成されており、この所定の円周はビスボス３２の外側、ビスボス３６の内側、右壁１２Ｂと遊動規制壁２８との間を通る（縫う）ように決められている。そして、この所定の円周の中心位置（後述するドア５０の回転中心）は、本実施の形態では、その左右方向の位置（座標）がケース１２の左端よりも外側に、その前後方向の位置（座標）がリール１４の回転中心（遊動規制壁２８の軸心）と略一致するように設定されている。
【００３８】
また、ガイド溝４２の開口２０に位置する部分は、リブ４４がピン台２４の右方において切り欠かれることで凹部２４Ａと連通されると共に、板ばね２５のアーム部２５Ａが配置されるばね溝４５とも連通している。また、ガイド溝４２の切欠き部分では、リーダピン２２をケース１２内に誘い込むテーパ開口２０Ａがピン台２４の凹部２４Ａに連通している。さらに、リブ４４には、テーパ開口２０Ａの後縁、ビスボス３６の前縁、開口２０の開放面にそれぞれ沿って形成されたリブ４６が連設されており、ケース１２の開口２０廻りの強度が確保または向上されている。
【００３９】
さらに、各ガイド溝４２の後半部分を構成するリブ４４は、その後端において略Ｕ字状に折り返されて閉じている。そして、上ケース１６のリブ４４は、下ケース１８のリブ４４よりも後方に長く形成されている。これは、下ケース１８の傾斜後壁１８Ｃ（周壁１８Ａ）が所定角度の傾斜面になっており、その右壁１２Ｂ側に配設したメモリボードＭをドア５０と干渉させないためである。
【００４０】
さらに、後半部分のリブ４４の内側部分における長手中央部には、上下一対のばね掛けピン５５が設けられている。各ばね掛けピン５５は、それぞれ遊動規制壁２８に連設されており、下ケース１８側が長く形成され、その遊動規制壁２８よりも上方に突出した部分に後述するコイルばね５６の一端側環状部５６Ａが引掛けられる構成である。そして、この下ケース１８側のばね掛けピン５５に上ケース１６側の短いばね掛けピン５５が突き当てられることで、コイルばね５６の脱落が阻止されるようになっている。
【００４１】
以上説明した上ケース１６と下ケース１８とは、互いの周壁１６Ａ、１８Ａを突き当てた状態で、各ビスボス３２、３６及び他のビスボスに下側から図示しないビスがねじ込まれて固定（接合）されケース１２を構成している。そして、開口２０は、右前角部が切り欠かれて形成されることで、その開放面が矢印Ａ方向及び矢印Ｂ方向に向くため、ドライブ装置の引出手段が、矢印Ａ方向、矢印Ｂ方向、或いは矢印Ａ方向と矢印Ｂ方向との間からアクセスしてリーダピン２２をチャックできる。これにより、リーダピン２２を保持するピン台２４を設置可能なエリアが広がり、ドライブ装置の引出手段がリーダピン２２をチャック可能な領域が広いため、矢印Ａ方向または矢印Ｂ方向からチャックするドライブ装置の仕様に合わせてピン台２４の設置位置を設定できる。このため、ドライブ装置の設計の自由度も広がる。
（ドアの構成）
以上説明した開口２０は、遮蔽部材としてのドア５０によって開閉されるようになっている。ドア５０は、板厚方向に湾曲され、その平面視における曲率がガイド溝４２（所定の円周）の曲率と一致する円弧状に形成されている。また、ドア５０は、その前部（少なくとも開口２０を閉塞する部分）における板幅（高さ）が開口２０の開口高さと略同一に形成された部分が閉塞部５０Ａとされると共に、閉塞部５０Ａよりも後側の板幅が若干小さくされた部分が駆動部５０Ｂとされている。
【００４２】
このドア５０の板長（湾曲した長手寸法）は、開口２０の閉塞状態において駆動部５０Ｂの後端部がケース１２の右後角部内に位置するように決められている（図５（Ａ）参照）。なお、駆動部５０Ｂの後下部は、下ケース１８の傾斜後壁１８Ｃの傾斜面に配設されたメモリボードＭを回避するために、斜めに切り欠かれている。
【００４３】
このドア５０は、その閉塞部５０Ａの先端部がビスボス３２の外側に位置する凹部３０Ａに入り込んだ状態で開口２０を閉塞し（図５（Ａ）参照）、ガイド溝４２に沿って略後方へ移動（回動）して開口２０を開放し（図５（Ｂ）参照）、閉塞部５０Ａの先端近傍の外周面がビスボス３６の内側近傍に達すると開口２０を完全に開放する（図５（Ｃ）参照）構成である。また、ドア５０は、開口２０を開放する際と略反対方向に回動して開口２０を閉塞するようになっている。
【００４４】
このように、ドア５０は、その移動軌跡である所定の円周をはみ出すことなく回動して開口２０を開閉するように湾曲形成されている。ドア５０の回転中心及び半径（ガイド溝４２の形状）は、ドライブ装置からの要求により決まる開口２０前後の縁部（ビスボス３２、３６）の位置やライブラリ装置からの要求により決まる開口２０の開放面の角度等に応じて適宜決められれば良い。
【００４５】
また、ドア５０の上下端には、それぞれ上下のガイド溝４２に入り込むそれぞれ複数の凸部５１が突設されている。各凸部５１は、閉塞部５０Ａと駆動部５０Ｂとで突出高が異なるが、ドア５０の幅方向（長手方向に沿った）中心線からそれぞれの頂部までの距離は一定とされている。これにより、上下の凸部５１は、ガイド溝４２の底部である天板１６Ｂまたは底板１８Ｂと摺動するようになっている。
【００４６】
また、各凸部５１におけるドア５０の板厚方向両側には、その頂部がドア５０板厚方向端面に沿う突起５１Ａが突設されており、ガイド溝４２の溝壁（リブ４４等）と摺動するようになっている。なお、最前に位置する凸部５１は、開口２０の開閉過程でガイド溝４２と連通するテーパ開口２０Ａには入り込まないように配置されている。
【００４７】
これらの凸部５１及び突起５１Ａによって、ドア５０は、開口２０を開閉する際に各ガイド溝４２にガイドされて上記移動軌跡からはみ出すことなく、ビスボス３２の外側及びビスボス３６の内側、右壁１２Ｂと遊動規制壁２８との間を縫うようにして確実に開動する構成である。
【００４８】
このドア５０の駆動部５０Ｂの前端（閉塞部５０Ａ側）近傍における外周部には、操作部としての操作突起５２がドア５０の径方向に沿って突設されている。操作突起５２は、スリット４０からケース１２の外側に露出されており、記録テープカートリッジ１０のドライブ装置への装填（相対移動）に伴って該スリット４０の前方に開口した部分から進入する係合突起８８と係合することでドア５０を開口２０の開放方向に移動させる構成である。
【００４９】
また、ドア５０の駆動部５０Ｂの後端部には、該ドア５０の内面側に向けて略Ｌ字状のばね掛け部５４が突設されており、ばね掛け部５４は上側が自由端とされている。このばね掛け部５４には、付勢手段としてのコイルばね５６が係止保持用されている。具体的には、コイルばね５６の端部にはそれぞれ係止用の環状部５６Ａ、５６Ｂが設けられており、環状部５６Ａはケース１２のばね掛けピン５５を挿通させてケース１２に係止保持され、環状部５６Ｂはばね掛け部５４を挿通させてドア５０に係止保持される。
【００５０】
これにより、ドア５０は、コイルばね５６の付勢力によって開口２０の閉塞方向に付勢され、通常開口２０を閉塞する構成である。このコイルばね５６は、上記の通りドア５０が開口２０の閉塞状態でケース１２の右後角部に至る長さであるため、該右後角部における遊動規制壁２８と周壁１６Ａ、１８Ａ（傾斜後壁１８Ｃ）との間の空間を有効利用して配設されている。
【００５１】
また、ドア５０の閉塞部５０Ａ内面には、開口２０閉塞時にリーダピン２２の上端部側面及び下端部側面に当接するストッパ５８が突設されており、落下衝撃等によるリーダピン２２のピン台２４からの脱落を、確実に防止できるようになっている。
【００５２】
以上説明したドア５０は、記録テープカートリッジ１０がドライブ装置へ装填される動作によって操作突起５２がドライブ装置の係合突起８８（図５（Ａ）乃至（Ｃ）参照）に係合することでコイルばね５６の付勢力に抗してケース１２に対し移動し開口２０を開放し、ドライブ装置から排出される際にはコイルばね５６の付勢力によって開口２０を閉塞する構成である。
【００５３】
そして、円弧状に湾曲形成されたドア５０は、その湾曲形状に沿った移動軌跡からはみ出すことなくリール１４及びピン台２４（リーダピン２２）の外側を回り込むように回動して、矢印Ａ方向に対し傾斜した開口２０を開閉するようになっており、開口２０の開閉に際してケース１２の外形領域からはみ出さない構成である。
（ライトプロテクト部の構成）
図６にも示される如く、遊動規制壁２８等によって仕切られたケース１２の後部における左側（メモリボードＭ配設側とは反対側）には、ライトプロテクト部６０が設けられている。以下、ケース１２を構成する周壁１６Ａ、１８Ａのうち、外面が矢印Ｃ方向を向く部分を左壁１２Ｃ、外面が矢印Ａとは反対の後方向を向く（傾斜後壁１８Ｃを除く）部分を後壁１２Ｄとして説明する。
【００５４】
図４及び図６にも示される如く、ライトプロテクト部６０は、下ケース１８の傾斜した傾斜後壁１８Ｃを貫通する操作孔６２、及び底板１８Ｂを貫通する認識開口６４を備えている。
【００５５】
操作孔６２は、矩形状に形成され、後述する誤消去防止プラグ７４の操作突起７８が入り込むようになっている。この操作孔６２は、傾斜後壁１８Ｃの内面側よりも外面側の方が左右方向に若干広く形成されており、操作突起７８を外側から操作しやすい構成とされている。また、操作孔６２のケース１２内側における右縁は、遊動規制壁２８と傾斜後壁１８Ｃ（周壁１８Ａ）とを連結する仕切壁２８Ｃの左端面と略一致している。
【００５６】
一方、認識開口６４は、操作孔６２の前側に左方にオフセットして設けられており、誤消去防止プラグ７４の認識部８０Ａ（後述）に対応して両端が丸められた長孔とされている。認識開口６４の左縁は、ケース１２の左後角部に凹部４８を形成するための壁部４８Ａの右（内）端面と略一致している。この壁部４８Ａと上記仕切壁２８Ｃとが、誤消去防止プラグ７４の左右方向の移動を移動限（ストッパ）とされている。
【００５７】
また、下ケース１８には、ガイド手段を構成するガイド片６６、６８が設けられている。図７にも示される如く、ガイド片６６は、認識開口６４の上記丸められた左端のうち前半部分に沿って底板１８Ｂから立設された平面（断面）視円弧状の脚部６６Ａの上端に設けられており、該認識開口６４の前半部分に張り出した（該前半部分を覆う）扇形状に形成されている。すなわち、ガイド片６６は、全体として認識開口６４に臨み、底板１８Ｂと対向する部分がない構成である。
【００５８】
一方、ガイド片６８は、認識開口６４の長手方向中心線（図示しない）に対しガイド片６６と対称に形成されている。すなわち、ガイド片６８は、認識開口６４の上記丸められた右端のうち前半部分に沿って底板１８Ｂから立設された脚部６８Ａの上端に設けられ、該前半部分に張り出した扇形状に形成されている。そして、ガイド片６８は、全体として認識開口６４に臨み、底板１８Ｂと対向する部分がない構成である。
【００５９】
これらのガイド片６６、６８は、誤消去防止プラグ７４の上下方向の移動規制（阻止）用とされている。また、ガイド片６６、６８の間には、誤消去防止プラグ７４のアーム部８０（後述）の幅Ｗよりも大きな隙間Ｇ（図７参照）が設けられており、該誤消去防止プラグ７４組付用とされている。そして、これらのガイド片６６、６８は、上記の通りそれぞれ認識開口６４の縁部に沿って立設された脚部６６Ａ、６８Ａから認識開口６４上に張り出して設けられる（全体として認識開口６４に臨む）ことで、アンダカット部を設けることなく下ケース１８に一体成形することができる。
【００６０】
また、図３及び図８にも示される如く、ライトプロテクト部６０は、ガイド手段を構成するガイド壁７０を備えている。ガイド壁７０は、上ケース１６の天板１６Ｂから後壁１２Ｄと略平行に立設されており、該上ケース１６の仕切壁２８Ｃが基端とされると共に壁部４８Ａに対応する位置が終端とされている。すなわち、ガイド壁７０は、誤消去防止プラグ７４の全移動範囲に亘り位置しており、該誤消去防止プラグ７４の前後方向及び上下方向の移動規制（阻止）用とされている。
【００６１】
さらに、上ケース１６の天板１６Ｂからは、本発明における節度手段を構成する節度部としての節度ピン７２が一体に立設されている。節度ピン７２は、その長さが周壁１６Ａの高さよりも高い細円柱状に形成されており、その下ケース１８内に突出する先端がケース１２の左右及び前後に揺動する方向に弾性変形可能とされている。
【００６２】
さらにまた、ライトプロテクト部６０は、切替部材としての誤消去防止プラグ７４を備えている。なお、誤消去防止プラグ７４を前後、左右、上下の方向を用いて説明するときは、基本的にケース１２への組付状態における各方向に対応している。
【００６３】
図９（Ａ）及び図９（Ｂ）にも示される如く、誤消去防止プラグ７４は、ケース１２の後部内面に対応して屈曲された板状の本体部７６を備えている。具体的には、本体部７６は、底板１８Ｂに沿った下面部７６Ａと、下面部７６Ａの後端から傾斜後壁１８Ｃに対応して上方に傾斜（屈曲）して延設された傾斜部７６Ｂと、傾斜部７６Ｂの上後端から後壁１２Ｄに沿って上方に屈曲された背面部７６Ｃとで構成されている。
【００６４】
この本体部７６の傾斜部７６Ｂの右端部には、その傾斜方向に沿って長手とされた操作部としての操作突起７８が突設されている。操作突起７８は、誤消去防止プラグ７４のケース１２への組付状態では、操作孔６２に入り込んで外部に露出され、ケース１２の外側（傾斜後壁１８Ｃの外面側）から左右方向へ移動操作されるようになっている。
【００６５】
また、本体部７６の下面部７６Ａの左端部からは、アーム部８０が前方に延設されており、該アーム部８０の先端には下方に突出した認識部８０Ａが設けられている。アーム部８０の幅（左右方向の幅）Ｗは、ガイド片６６、６８間の隙間Ｇよりも小で、かつ認識開口６４の長さＬの半分よりも小とされている（図７参照）。このアーム部８０の先端は、認識開口６４の丸められた両端部（脚部６６Ａ、６８Ａの内面）に略対応して丸められている。
【００６６】
そして、認識部８０Ａは、アーム部８０の先端に対応した短円柱状に形成されており、誤消去防止プラグ７４のケース１２への組付状態では、認識開口６４に入り込むようになっている。この認識部８０Ａ（アーム部８０）は、詳細は後述するが、その認識開口６４における長手方向（左右方向）の位置に応じて、磁気テープＴへの情報の記録可否を切り替える構成である。
【００６７】
さらに、本体部７６における傾斜部７６Ｂと背面部７６Ｃとの角部を跨ぐ前面側からは、ノッチ部８２及びガイド部８４が前方へ突設されている。ノッチ部８２は、その左端が本体部７６の左端と一致しており、その右端は本体部７６に左右方向中央部に至っている。そして、ノッチ部８２の略前半部分は、その先端に向けて縮幅するように平面略視台形（山形）状に形成されおり、その左側がテーパ面８２Ａ、その右側がテーパ面８２Ｂとされている。
【００６８】
このノッチ部８２は、本発明における節度手段を構成する当接部に相当し、誤消去防止プラグ７４のケース１２への組付状態では、テーパ面８２Ａ、８２Ｂの何れか一方の略前半部分において節度ピン７２に当接するようになっている。
【００６９】
さらにまた、誤消去防止プラグ７４におけるノッチ部８２の背面（裏面）側には、肉抜き部８５が設けられている。肉抜き部８５は、傾斜部７６Ｂ及び背面部７６Ｃにおいてそれぞれ後方及び下方に開口しており、ノッチ部８２内に至っている（図６及び図８参照）。これにより、誤消去防止プラグ７４には、厚肉部が形成されない構成である。
【００７０】
一方、ガイド部８４は、本体部７６の右端部に位置し、その上端面がノッチ部８２の上端面と同位とされ（高さが一致し）ている。そして、誤消去防止プラグ７４のケース１２への組付状態では、ノッチ部８２及びガイド部８４の各上端面がそれぞれケース１２のガイド壁７０の下端面に当接するようになっている。
【００７１】
以上説明した誤消去防止プラグ７４は、本体部７６、アーム部８０（認識部８０Ａ）、ノッチ部８２、ガイド部８４が樹脂成形によって一体に形成されており、肉抜き部８５を設けることでノッチ部８２が厚肉構造とならないため、樹脂成形に伴うひけ（シンクマーク）等の外観不良が生じない構成である。
【００７２】
この誤消去防止プラグ７４は、ケース１２に組み付けられ、ライトプロテクト部６０を構成する。具体的には、誤消去防止プラグ７４は、図８に示される如く、本体部７６が、その下面部７６Ａ（アーム部８０）、傾斜部７６Ｂ、背面部７６Ｃをそれぞれケース１２の底板１８Ｂ、傾斜後壁１８Ｃ、後壁１２Ｄ（周壁１６Ａ、１８Ａ）の各内面と摺動可能に接した状態で、操作突起７８が操作孔６２に入り込むと共に認識部８０Ａが認識開口６４に入り込んでいる。
【００７３】
この状態では、図１１（Ａ）または図１１（Ｂ）に示される如く、ガイド壁７０の下端面がノッチ部８２及びガイド部８４の各上端面に摺動可能に略接すると共に、ガイド壁７０の後面が背面部７６Ｃの前面と摺動可能に略接しており、かつ節度ピン７２がテーパ面８２Ａ、８２Ｂの何れか一方に当接している。そして、認識部８０Ａは、認識開口６４の左右何れかの端部に位置しており、アーム部８０の上面がガイド片６６またはガイド片６８に摺動可能に略接している。
【００７４】
すなわち、ライトプロテクト部６０では、図１１（Ａ）及び図１２（Ａ）に示される如く、節度ピン７２がテーパ面８２Ｂに当接すると共に操作突起７８が操作孔６２の左端部に位置するときに、認識部８０Ａが認識開口６４の左端部を閉塞するようになっており、図１１（Ｂ）及び図１２（Ｂ）に示される如く、節度ピン７２がテーパ面８２Ａに当接すると共に操作突起７８が操作孔６２の右端部に位置するときに、認識部８０Ａが認識開口６４の右端部を閉塞するようになっている。
【００７５】
そして、ライトプロテクト部６０では、認識部８０Ａが認識開口６４の右端部を閉塞した（図１１（Ｂ）及び図１２（Ｂ）に示す）状態では、磁気テープＴへの情報の記録が不能な記録不能状態とされる。具体的には、ドライブ装置では、機械的認識手段の認識ピン（何れも図示省略）が認識部８０Ａに突き当たるか、光学的認識手段（図示省略）によって認識部８０Ａを検出するかすると、磁気テープＴへの記録不能状態となる。すなわち、誤消去防止プラグ７４は、認識部８０Ａによって認識開口６４の右端部を閉塞し、これをドライブ装置に認識させることで、該ドライブ装置による磁気テープＴへの情報記録を不能とする構成である。なお、このとき操作孔６２は、誤消去防止プラグ７４の傾斜部７６Ｂによって閉塞されるようになっている。
【００７６】
一方、ライトプロテクト部６０では、認識部８０Ａが認識開口６４の左端部を閉塞した（図１１（Ａ）及び図１２（Ａ）に示す）状態、換言すれば、認識部８０Ａが認識開口６４の右端部を開放した状態では、上記認識ピンまたは光学的認識手段が該認識部８０Ａを検出しないため、ドライブ装置による磁気テープＴへの情報の記録が許容される記録可能状態となる。この状態では、操作孔６２は開放されている。
【００７７】
このように、誤消去防止プラグ７４は、そのアーム部８０の認識部８０Ａが認識開口６４の右端部を開閉することで、上記磁気テープＴへの記録不能状態と記録可能状態と（記録可否）を択一的に切り替えるようになっている。
【００７８】
そして、図１０に後壁１２Ｄ及び傾斜後壁１８Ｃを取り除いた背面図にて示される如く、ライトプロテクト部６０では、誤消去防止プラグ７４における操作突起７８とノッチ部８２との左右方向（移動方向）に沿う距離Ｌが、上記記録可否の切り替えに伴う誤消去防止プラグ７４の移動ストロークＳよりも大きく設定されている。
【００７９】
これにより、誤消去防止プラグ７４は、その全移動ストロークに亘り、換言すれば、記録可否の状態の拘わらず、ノッチ部８２の背面側部分を操作孔６２から露出させないようになっている。なお、ストロークＳは、本実施の形態では、認識開口６４の長さから認識部８０Ａの径を差し引いた長さ、または、操作孔６２の左右方向の幅から操作突起７８の厚みを差し引いた長さに略相当する。
【００８０】
また、ライトプロテクト部６０では、誤消去防止プラグ７４が、操作突起７８の操作による左右方向の移動によって、テーパ面８２Ａまたはテーパ面８２Ｂにおいて当接する節度ピン７２を変形させ、該節度ピン７２を乗り越えるようになっている。これにより、ライトプロテクト部６０では、上記操作を行う使用者にノッチ感（節度感）を感得させると共に、誤消去防止プラグ７４の不用意な移動（後述する記録可否の切り替え）を阻止する構成である。
【００８１】
さらに、ライトプロテクト部６０では、誤消去防止プラグ７４は、アーム部８０が略接するガイド片６６、６８及びノッチ部８２及びガイド部８４の各上端面が略接するガイド壁７０によって上方（底板１８Ｂから離間する方向）への移動が規制されると共に、背面部７６Ｃが略接するガイド壁７０及び認識部８０Ａが入り込む認識開口６４（アーム部８０の先端に対応する脚部６６Ａ、６８Ａの各内面）によって前方への移動が規制されており、上記操作突起７８の操作による左右方向の移動のみが許容される（左右方向に案内される）構成である。
【００８２】
なお、ケース１２に誤消去防止プラグ７４を組付ける際には、誤消去防止プラグ７４は、アーム部８０が一対のガイド片６６、６８間の隙間Ｇを通るように（図７参照）、単に底板１８Ｂに向けて下降される。すると、認識部８０Ａが認識開口に入り込む（挿入される）と共に、アーム部８０が認識開口６４上に位置する。この状態から下ケース１８に上ケース１６を取り付けると、誤消去防止プラグ７４は、テーパ面８２Ａ、８２Ｂの何れか一方に節度ピン７２が当接することで、アーム部８０がガイド片６６またはガイド片６８の下側に入り込み（認識部８０Ａが認識開口６４の左右何れかの端部に位置し）、ケース１２に対する組付けが完了するようになっている。
【００８３】
また、ケース１２の後壁１２Ｄの外面（背面）には、ラベルエリア８６が凹設されている。ラベルエリア８６は、後壁１２Ｄの長手方向略全長に亘る背面視略矩形状に形成され、その略中央部にパーティングラインＰＬが位置している。そして、ライトプロテクト部６０が、その操作孔６２を傾斜後壁１８Ｃに設け後壁１２Ｄに露出する部分を有しないため、大面積のラベルエリア８６を得ることができる。また、この操作孔６２（操作突起７８）がケース１２の背面側から目視可能であるため、例えば、ケース１２を厚み方向に積層した状態やケース１２がライブラリ装置等のホルダに収容された状態でも、上記使用者は、操作孔６２の開閉状態によって磁気テープＴへの記録可否を背面側から確認できる。
【００８４】
次に、本実施の形態の作用について説明する。
【００８５】
上記構成の記録テープカートリッジ１０では、ライトプロテクト部６０を構成する誤消去防止プラグ７４の操作突起７８が、必要に応じて使用者により操作され、磁気テープＴへの記録可否が切り替えられる。
【００８６】
具体的には、磁気テープＴへの記録可能状態から記録不能状態に切り替える際には、使用者は操作突起７８を操作孔６２の左端部から右端部へ移動する。すると、誤消去防止プラグ７４が底板１８Ｂ、傾斜後壁１８（操作孔６２の形成面）、後壁１２Ｄに沿って右方へ移動し、認識部８０Ａが認識開口６４の右端部を閉塞する。このとき、ノッチ部８２が節度ピン７２を弾性変形させることで、使用者はノッチ感を感得する。
【００８７】
また、この切り替え後にライトプロテクト部６０では、誤消去防止プラグ７４が、そのノッチ部８２（テーパ面８２Ｂ）と節度ピン７２との当接状態を維持しており、その後の不用意な記録可能状態への切り替えが防止される。また、ライトプロテクト部６０では、以上と逆の動作をして、磁気テープＴへの記録不能状態から記録可能状態に切り替える。
【００８８】
そして、誤消去防止プラグ７４の認識部８０Ａが認識開口６４の右端部を閉塞した磁気テープＴへの記録不能状態では、記録テープカートリッジ１０はドライブ装置に装填されても、該ドライブ装置は、上記機械的または光学的認識手段によって該記録不能状態（認識開口６４の右端部に位置する認識部８０Ａ）を認識し、磁気テープＴへの情報の記録不能状態となる。これにより、例えば、磁気テープＴへ記録済みの情報が保護される。一方、磁気テープＴへ記録された情報の再生は許容されている。
【００８９】
また、誤消去防止プラグ７４の認識部８０Ａが認識開口６４の右端部を開放した磁気テープＴへの記録可能状態では、記録テープカートリッジ１０はドライブ装置に装填されると、該ドライブ装置は、上記機械的または光学的認識手段によって該記録不能状態（認識開口の略右半分に位置する認識部８０Ａ）を認識せず、磁気テープＴへの記録可能状態となる。また、この状態においても、磁気テープＴへ記録された情報の再生は許容されている。
【００９０】
このドライブ装置内において、記録テープカートリッジ１０は、上記装填に伴ってドライブ装置の係合突起８８がドア５０の操作突起５２に係合することでドア５０が略後方へ回動して開口２０が開放されており、リーダピン２２が引出手段によって引き出されてドライブ装置の巻取リールに収容される。この状態で、情報の記録指令がドライブ装置に与えられると、巻取リールとリール１４とが同期して回転駆動され、磁気テープＴは巻取リールに巻き取られつつケース１２から順次引き出される。そして、所定のテープ経路に沿って配設された記録再生ヘッドによって、磁気テープＴへの情報の記録が為される。
【００９１】
一方、情報の再生指令がドライブ装置に与えられると、上記ライトプロテクト部６０の切替状態（磁気テープＴへの記録可否）に拘わらず、磁気テープＴは、上記磁気テープＴへの情報の記録の場合と同様に巻取リールに巻き取られつつケース１２から順次引き出され、所定のテープ経路に沿って配設された記録再生ヘッドによって情報の再生が為される。
【００９２】
また、磁気テープＴの使用後（上記記録または再生の後）は、記録テープカートリッジ１０はドライブ装置から排出され、該排出に伴って、ドア５０がコイルばね５６の付勢力によって開口２０を閉塞する。
【００９３】
ここで、誤消去防止プラグ７４では、そのノッチ部８２が、該誤消去防止プラグ７４における上記記録可否の切替状態に拘わらず操作孔６２から露出されない部分（図１０（Ｂ）の仮想線Ｄよりも左側部分）に設けられているため、換言すれば、操作突起７８とノッチ部８２との移動方向における互いに近い方の端部間距離Ｌが誤消去防止プラグ７４の移動ストロークＳよりも大きいため、該誤消去防止プラグ７４におけるノッチ部８２の背面側が操作孔６２から外部に露出されることがない。
【００９４】
このため、記録テープカートリッジ１０は、仮に誤消去防止プラグ７４におけるノッチ部８２の背面側に外観不良が生じても、該外観不良部が外部に露出されることはなく、見栄えが良好である。
【００９５】
そして、この外部に露出されることのない誤消去防止プラグ７４におけるノッチ部８２の背面側に肉抜き部８５を設けているため、誤消去防止プラグ７４では、樹脂成形時のひけ等の発生が防止される。
【００９６】
このように、本実施の形態に係る記録テープカートリッジ１０では、誤消去防止プラグ７４側にノッチ部８２を有する節度手段の機能を維持しつつ、該ノッチ部８２の背面側部分が外部に露出されず見栄えが良好である。
【００９７】
なお、上記の実施の形態では、ケース１２が傾斜後壁１８Ｃを有し該傾斜後壁１８Ｃに操作孔６２を設けた構成としたが、本発明はこれに限定されず、天板１６Ｂ及び底板１８Ｂと略直交する後壁や側壁に操作孔６２を設けた構成としても良い。すなわち、本発明は、操作孔６２がケース１２の背面側に位置する構成に限定されることはない。
【００９８】
また、上記の実施の形態では、操作突起７８とノッチ部８２との距離Ｌがｇｐ７４の移動ストロークＳよりも大きい構成としたが、本発明はこれに限定されず、例えば、誤消去防止プラグ７４の本体部７６における操作孔６２よりも上側に位置する背面部７６Ｃのみからノッチ部８２を突設することで、該ノッチ部８２の背面側を操作孔６２から露出させない構成とすることも可能である。
【００９９】
さらに、上記の実施の形態では、誤消去防止プラグ７４が肉抜き部８５を有する好ましい構成としたが、本発明はこれに限定されず、誤消去防止プラグ７４に肉抜き部８５を設けない構成としても良い。また、ライトプロテクト部６０は、節度ピン７２に代えて平板状の節度部を有しても良く、節度ピン７２が下ケース１８に設けられても良い。さらに、本発明が誤消去防止プラグ７４の形状やケース１２に設けられたガイド手段の構成等によって限定されないことは言うまでもない。
【０１００】
さらにまた、上記の実施の形態では、本発明におけるカートリッジの実施形態として、磁気テープＴを巻装した単一のリールをケース１２内に収容した記録テープカートリッジ１０を例示したが、本発明はこれに限定されず、例えば、本発明におけるカートリッジは、磁気テープＴの巻出用及び巻取用の２つのリールをケース１２内に収容した所謂２リール式の記録テープカートリッジや、光ディスクや磁気ディスク等の円板状のディスクメディアをケース１２内に回転可能に収容したディスクカートリッジにも適用可能である。また、本発明が適用される記録テープカートリッジの構成が上記記録テープカートリッジ１０に限定されないことは言うまでもない。
【０１０１】
【発明の効果】
以上説明したように本発明に係るカートリッジは、切替部材側に当接部を有する節度手段の機能を維持しつつ見栄えが良好であるという優れた効果を有する。
【図面の簡単な説明】
【図１】本発明の実施の形態に係る記録テープカートリッジの全体構成を示す斜視図である。
【図２】本発明の実施の形態に係る記録テープカートリッジの分解斜視図である。
【図３】本発明の実施の形態に係る記録テープカートリッジを構成する上ケースの底面図である。
【図４】本発明の実施の形態に係る記録テープカートリッジを構成する下ケースの平面図である。
【図５】本発明の実施の形態に係る記録テープカートリッジの開口の開放過程を示す上ケースを取り除いて見た図であって、（Ａ）はドアの操作突起へのドライブ装置の係合突起の係合初期状態を示す平面図、（Ｂ）は開口の開放途中を示す平面図、（Ｃ）は開口の開放完了状態を示す平面図である。
【図６】本発明の実施の形態に係る記録テープカートリッジのライトプロテクト部を示す上ケースを取り除いて見た平面図である。
【図７】本発明の実施の形態に係る記録テープカートリッジのライトプロテクト部を構成する認識開口及びガイド片とアーム部との寸法関係を示す拡大斜視図である。
【図８】本発明の実施の形態に係る記録テープカートリッジのライトプロテクト部を示す側面断面図である。
【図９】本発明の実施の形態に係る記録テープカートリッジのライトプロテクト部を構成する誤消去防止プラグを示すであって、（Ａ）は上前側から見た斜視図、（Ｂ）は下後側から見た斜視図である。
【図１０】本発明の実施の形態に係る記録テープカートリッジのライトプロテクト部を構成する誤消去防止プラグの要部寸法を示す周壁を取り除いた背面図であって、（Ａ）は磁気テープへの記録可能状態を示す斜視図、（Ｂ）は記録不能状態を示す斜視図である。
【図１１】本発明の実施の形態に係る記録テープカートリッジのライトプロテクト部を内側から見た図であって、（Ａ）は磁気テープへの記録可能状態を示す斜視図、（Ｂ）は記録不能状態を示す斜視図である。
【図１２】本発明の実施の形態に係る記録テープカートリッジのライトプロテクト部を外側から見た図であって、（Ａ）は磁気テープへの記録可能状態を示す斜視図、（Ｂ）は記録不能状態を示す斜視図である。
【図１３】従来のライトプロテクト部における節度手段を示す平面断面図である。
【符号の説明】
１０　　記録テープカートリッジ（カートリッジ）
１２　　ケース
６２　　操作孔
７２　　節度ピン（節度部、節度手段）
７４　　誤消去防止プラグ（切替部材）
８２　　ノッチ部（当接部、節度手段）
８５　　肉抜き部
Ｔ　　　磁気テープ（記録媒体）
【図１】
2004095069.tif 000003
【図２】
2004095069.tif 000004
【図３】
2004095069.tif 000005
【図４】
2004095069.tif 000006
【図５】
2004095069.tif 000007
【図６】
2004095069.tif 000008
【図７】
2004095069.tif 000009
【図８】
2004095069.tif 000010
【図９】
2004095069.tif 000011
【図１０】
2004095069.tif 000012
【図１１】
2004095069.tif 000013
【図１２】
2004095069.tif 000014
【図１３】
2004095069.tif 000015